(57)【要約】      （修正有）【課題】眼鏡やルーペ等がなくても、書類に目を通したり、記入することができるレンズ装置を提供する。【解決手段】レンズ装置は、レンズ部５ａを有するレンズ部材５と、レンズ部５ａが天板２の上方所定高さ位置において天板２の上面２ａに対向する使用位置と、使用位置から退避する退避位置と、の間でレンズ部材５が回動するようにレンズ部材５の基端部側を回動自在に支持する回動軸３及び支持部材８と、少なくとも使用位置においてレンズ部材５の回動を規制するゴム部材と、を備えるため、ゴム部材によりレンズ部材５の回動が使用位置にて規制されることで、レンズ部５ａが天板２の上方所定高さ位置に保持され、使用者はレンズ部材５を手で支えるなどすることなく、レンズ部５ａを透して天板２の上面２ａの書類に目を通したり、書類への記入等を行うことができる。【選択図】図１
0003142179.tif 000002
【実用新案登録請求の範囲】
【請求項１】
天板を備えた机に設けられるレンズ装置であって、
少なくとも一部にレンズ部を有するレンズ部材と、
前記レンズ部が前記天板の上方所定高さ位置において該天板の上面に対向する使用位置と、該使用位置から退避する退避位置と、の間で前記レンズ部材が回動するように該レンズ部材の一端側を回動自在に支持する回動支持手段と、
少なくとも前記使用位置において前記レンズ部材の回動を規制する回動規制手段と、
を備えることを特徴とするレンズ装置。
【請求項２】
前記回動支持手段を、前記机に対してスライド移動自在に設けたことを特徴とする請求項１に記載のレンズ装置。
【請求項３】
前記回動規制手段は、前記回動支持手段を挟んで両側の前記使用位置において前記レンズ部材の回動を規制することを特徴とする請求項１または２に記載のレンズ装置。
【請求項４】
前記レンズ部材は、前記回動支持手段に回動自在に設けられた基部と、該基部に対して伸縮自在に設けられた前記レンズ部と、から構成されていることを特徴とする請求項１ないし３のいずれかに記載のレンズ装置。
【請求項５】
前記机に、前記レンズ部の度が異なる複数の前記レンズ部材を設けたことを特徴とする請求項１ないし４のいずれかに記載のレンズ装置。
【考案の詳細な説明】
【技術分野】
【０００１】
本考案は、天板を備えた机に設けられるレンズ装置に関する。
【背景技術】
【０００２】
従来、この種の机としては、例えば銀行、市役所等の公共機関に設置されているもの等がある（例えば、特許文献１参照）。
【０００３】
【特許文献１】特開２００４−３２９４７０号公報
【考案の開示】
【考案が解決しようとする課題】
【０００４】
しかしながら、上記特許文献１に記載の机を使用する使用者が、例えば、眼鏡等を忘れてしまった場合、書類に目を通したり、記入することが困難となるという問題があった。また、ルーペ等を設置して使用可能とすることも考えられるが、片手でルーペ等を持ちながら記入するのは難しい。
【０００５】
本考案は、このような問題点に着目してなされたもので、机において、眼鏡やルーペ等がなくても、書類に目を通したり記入することができるレンズ装置を提供することを目的とする。
【課題を解決するための手段】
【０００６】
上記課題を解決するために、本考案の請求項１に記載のレンズ装置は、
天板を備えた机に設けられるレンズ装置であって、
少なくとも一部にレンズ部を有するレンズ部材と、
前記レンズ部が前記天板の上方所定高さ位置において該天板の上面に対向する使用位置と、該使用位置から退避する退避位置と、の間で前記レンズ部材が回動するように該レンズ部材の一端側を回動自在に支持する回動支持手段と、
少なくとも前記使用位置において前記レンズ部材の回動を規制する回動規制手段と、
を備えることを特徴としている。
この特徴によれば、回動規制手段によりレンズ部材の回動が使用位置にて規制されることで、レンズ部が天板の上方所定高さ位置に保持されるため、使用者はレンズ部材を手で支えるなどすることなく、レンズ部を透して天板上面の書類に目を通したり書類への記入等を行うことができる。また、レンズ部材が不要なときは、レンズ部材を回動することで退避位置に退避することができるため、邪魔になることがない。
【０００７】
本考案の請求項２に記載のレンズ装置は、請求項１に記載のレンズ装置であって、
前記回動支持手段を、前記机に対してスライド移動自在に設けたことを特徴としている。
この特徴によれば、レンズ部材を机に対してスライド移動することで、天板の任意の位置で使用することができる。
【０００８】
本考案の請求項３に記載のレンズ装置は、請求項１または２に記載のレンズ装置であって、
前記回動規制手段は、前記回動支持手段を挟んで両側の前記使用位置において前記レンズ部材の回動を規制することを特徴としている。
この特徴によれば、１つのレンズ部材を、回動支持手段の前後側または左右側で使用することができる。
【０００９】
本考案の請求項４に記載のレンズ装置は、請求項１ないし３のいずれかに記載のレンズ装置であって、
前記レンズ部材は、前記回動支持手段に回動自在に設けられた基部と、該基部に対して伸縮自在に設けられた前記レンズ部と、から構成されていることを特徴としている。
この特徴によれば、レンズ部を伸縮させることができるため、使用する際にはレンズ部を手前に引き出して使用できるばかりか、不要なときは基部側にコンパクトに収縮させて退避させておくことができる。
【００１０】
本考案の請求項５に記載のレンズ装置は、請求項１ないし４のいずれかに記載のレンズ装置であって、
前記机に、前記レンズ部の度が異なる複数の前記レンズ部材を設けたことを特徴としている。
この特徴によれば、使用者は、視力の度合いが適したレンズ部材を選択して使用することができる。
【考案を実施するための最良の形態】
【００１１】
本考案の実施例１を以下に説明する。
【実施例１】
【００１２】
本考案の実施例を図面に基づいて説明すると、先ず図１は、本考案が適用された実施例１における机を示す斜視図である。図２（ａ）は、机を示す側面図であり、（ｂ）は、回動軸周辺を示す拡大側断面図である。以下、図１の矢印Ａ方向を机の左右側とし、図１の矢印Ｂ方向を机の前後側とし、図１の紙面上下側を机の上下側として説明する。
【００１３】
図１に示すように、銀行、市役所等の公共機関に設置される机１は、主に、左右方向に横長の天板２と、該天板２の前後方向の中央位置に、左右方向に向けて立設された衝立６と、天板２を支持する支持脚台７と、衝立６の上端部６ａに縦方向に回動自在、かつ、左右方向にスライド移動自在に取り付けられた２つの回動体１０、１０と、を備えている。
【００１４】
天板２の上面２ａは、衝立６から前方及び後方に向かってそれぞれ下方に傾斜しており、書類に目を通したり、書類への記入等を行い易くなっている。また、上面２ａの前端部２ｃ及び後端部２ｄには、左右方向に沿って所定深さの凹設溝２ｂ、２ｂが形成されており、書類の記入後において、書類を凹設溝２ｂと重なるまで摺動させることで、書類を取り出し易くなっている。
【００１５】
また、図２（ｂ）に示すように、衝立６の上端部６ａの前面及び後面には、回動体１０、１０を左右方向にスライド移動自在に案内するためのレール溝６ｂ、６ｂが形成されている。
【００１６】
次に、回動体１０、１０の構造を説明する。尚、２つの回動体１０、１０の構造は同一構造であるため、ここでは一方の回動体１０の構造についてのみ説明し、他方の回動体１０については、同一の符号を付すことにより詳細な説明は省略することとする。
【００１７】
回動体１０は、先端側にレンズ部５ａを有するレンズ部材としてのレンズ板５と、該レンズ板５の一端が取り付けられる回動部材４と、からなる。レンズ板５は、透明な合成樹脂板からなり、先端側に所定強度を有するレンズ部５ａが設けられている。尚、本実施例では、左右２つの回動体１０、１０それぞれのレンズ部５ａは、例えば一方は裸眼視力が０．１〜０．９までの使用者に適する強度が弱い近視用のレンズにて構成され、他方は裸眼視力が０．１未満の使用者に適する強度が強い近視用のレンズにて構成されている。
【００１８】
尚、レンズ板５は、合成樹脂板に限定されるものではなく、例えばガラス板等により構成されていてもよい。また、レンズ部５ａ以外の領域は非透明であってもよい。
【００１９】
回動部材４は、内部に貫通穴４ａが形成された円柱状部材からなり、その外周面には、長手方向に延びる嵌合片４ｂ，４ｂが突設されており、該嵌合片４ｂ，４ｂ間に形成される嵌合部に、レンズ板５の基端部５ｂを嵌合して取り付けることができるようになっている。つまり、これら回動部材４及びレンズ板５は、本考案のレンズ部材を構成している。また、貫通孔４ａ内には、回動部材４を回動自在に支持する回動軸３が嵌挿される。
【００２０】
回動軸３は、レール溝６ｂ、６ｂにスライド移動自在に嵌合される左右一対の支持部材８、８間に左右方向に架設されている。支持部材８、８の下部には、下向きに開口する凹部８ａが形成されており、衝立６の上端部６ａに嵌合可能とされている。また、凹部８ａの内面前後には、前後面に形成されたレール溝６ｂ、６ｂに嵌合する凸部８ｂ，８ｂが内向きに突設されており、レール溝６ｂ、６ｂに凸部８ｂ，８ｂが摺動自在に嵌合されることで、支持部材８、８及び回動軸３が衝立６の長手方向に沿ってスライド移動自在に案内されるようになっている。つまり、これら左右一対の支持部材８、８及び回動軸３は本考案の回動支持手段を構成している。
【００２１】
図２（ｂ）に示されるように、回動軸３の外周面と貫通穴４ａの内周面との間には、円筒状のゴム部材９が介在して配置されており、回動軸３に回動自在に支持される回動部材４に対して摩擦抵抗力、つまり回動規制力を付与するようになっている。
【００２２】
図２（ａ）に示されるように、回動体１０は、レンズ部材５のレンズ部５ａの一面が、前方側上面２ａに対してそれぞれ略平行となる（対向する）使用位置Ｍ及びレンズ部材５のレンズ部５ａの反対面が、後方側上面２ａに対してそれぞれ略平行となる（対向する）使用位置Ｍ’と、レンズ部材５のレンズ部５ａが衝立６の上方に垂設される退避位置Ｎと、の間で回動自在に設けられている。つまり、レンズ板１０を１８０度以上反転させてレンズ部５ａを表裏面側から透視できるようにすることで、回動支持手段としての回動軸３を挟んでその両側に使用位置Ｍ，Ｍ’をそれぞれ設けることができる。
【００２３】
尚、本実施例では回動体１０の回動範囲は約２１０°とされている。また、レンズ板５が前後の使用位置Ｍ、Ｍ’に位置した状態において、天板２の上面２ａからレンズ部５ａまでの高さは約１５ｃｍとされている。
【００２４】
また、レンズ板５は、前後の使用位置Ｍ，Ｍ’において前述したゴム部材９の摩擦抵抗作用により回動が規制されるため、使用者は、レンズ板５を手で支えなくても、レンズ板５の上方からレンズ部５ａを透して、上面２ａに載置される書類に目を通したり記入したりすることができる。
【００２５】
一方、レンズ板５を使用しないときは、レンズ板５を使用位置Ｍ，Ｍ’から衝立６の上方の退避位置Ｎまで回動することで、衝立６の上方位置において、レンズ板５が、レンズ部５ａが衝立６の前後面と平行をなす起立姿勢にて保持されるため、レンズ板５を使用しない場合において該レンズ板５が邪魔になることがない。
【００２６】
以上に説明したように、本考案の実施例としての机１に設けられたレンズ装置にあっては、レンズ部５ａを有するレンズ板５を、天板２上に設けた衝立６に対して、レンズ部５ａが天板２の上方所定高さ位置において上面２ａに対して略平行となる（対向する）使用位置Ｍ、Ｍ’と、使用位置Ｍ、Ｍ’から退避する退避位置Ｎと、の間で基端部５ｂ側を中心に回動自在に設けるとともに、使用位置Ｍ、Ｍ’において回動を規制するゴム部材９を備えていることで、ゴム部材９により回動体１０の回動が使用位置Ｍ、Ｍ’にて規制され、レンズ部材５が天板２の上方所定高さ位置に保持されるため、使用者はレンズ部材５を手で支えるなどすることなく、レンズ部材５を透して本考案が適用されたその下方の書類に目を通したり記入等を行うことができる。また、レンズ部材５が不要なときは、レンズ部材５を回動することで退避位置Ｎに退避することができるため、レンズ部材５が不要な人の邪魔になることがない。
【００２７】
また、レンズ板５及び回動部材４からなるレンズ部材は、ゴム部材９により使用位置Ｍ，Ｍ’間の回動範囲において、回動軸３に回動自在に支持される回動部材４に対して常に摩擦抵抗力（回動規制力）が付与されてブレーキがかかるようになっており、これにより例えば退避位置Ｎから使用位置Ｍ，Ｍ’に向けてレンズ板５が急激に回転することがないので安全である。
【００２８】
また、レンズ板５を回動自在に支持する回動軸３が、衝立６の長手方向にスライド移動可能に設けられているため、レンズ板５を衝立６に沿って左右にスライド移動することで、天板２上の左右方向の任意の位置で使用することができる。
【００２９】
また、衝立６が天板２の前後方向の略中央位置に左右方向に向けて設けられるとともに、レンズ板５が衝立６の前後側の使用位置Ｍ、Ｍ’において回動規制されるようになっているため、１つのレンズ板５を天板２の前後側で使用することができる。
【００３０】
また、左右２つの回動体１０のレンズ部５ａの強度がそれぞれ異なっているため、使用者は、視力の度合いに応じたレンズ板５を選択して使用することができる。
【００３１】
次に実施例２を以下に説明する。
【実施例２】
【００３２】
図３は、実施例２における机を示す斜視図である。尚、実施例１と同一の構成部位には同一の符号を付し、重複する構成の説明を省略する。
【００３３】
前記実施例１の回動体１０において、一部の領域にレンズ部５ａが形成されたレンズ板５は、回動部材４に対して固定的に設けられているが、図３に示すように、回動体２０を、天板上に立設された下向きコ字形のフレーム１３（回動支持手段）と、該フレーム１３に回動自在に設けられた基部１４と、該基部１４に対して伸縮自在に設けたレンズ板１５と、から構成してもよい。具体的には、基部１４は、衝立６に一端側が回動自在に設けられた外ケース１７と、該外ケース１７に対して引き出し自在に収納される内ケース１８と、から構成され、内ケース１８の内部にレンズ板１５が引き出し自在に収納されている。
【００３４】
このように、レンズ板１５を基部１４に対して引き出し自在に収納することで、使用時においては、レンズ板１５を手前に引き出して使用することができるばかりか、図３中左側の回動体１０に示されるように回動体２０を退避位置に退避させた場合に、レンズ板１５を基部１４内にコンパクトに収納することができるため、例えば天板２の上面２ａの前後方向の長さに合わせてレンズ板１５を長くしても、退避位置においてコンパクトに収納する（短くする）ことができるため、邪魔になることがない。
【００３５】
尚、支持部材としての実施例１の衝立６及び実施例２のフレーム１３は、天板２の上面２ａの前後方向における略中央位置に左右方向に向けて立設されているが、例えば図４に示す変形例１としての机２１のように、回動体２０’を回動自在に支持する回動支持手段としてのフレーム１３’を、天板２の前方側の上面２ａの左側端部に沿って前後方向に立設し、このフレーム１３’に回動体２０’を回動自在に支持するようにしてもよい。つまり、レンズ部材を回動自在に支持する回動支持手段（回動軸）は、実施例１のように左右方向を向いていてもよいし、前後方向を向いていてもよい。
【００３６】
また、前記実施例１、２及び変形例１においては、回動支持手段としての回動軸３やフレーム１３，１３’に対して回動体１０、２０、２０’が縦方向に回動するようになっているが、例えば図５に示す変形例２の机３１のように、レンズ板３５ａを有する回動体４０を、天板２上に設けた上下方向を向く回動支持手段としての支柱３６に対して横方向（図中黒塗矢印Ｐ方向）に回動自在に設けてもよい。つまり、レンズ部材を回動自在に支持する回動支持手段（回動軸）は、上下方向を向いていてもよい。
【００３７】
さらにこの場合、レンズ板３５ａを横方向を向く軸を中心として縦方向（図中黒塗矢印Ｑ方向）に回動自在とすることで、回動体４０を使用位置（図示左方側の実線の回動体４０の位置）から退避位置（図示右方側の二点鎖線の回動体４０の位置）まで回動して退避させた状態においてレンズ板３５ａを縦向きにすることができるので、邪魔になることがない。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例１では、レンズ板５の一部がレンズ部５ａとして構成されているが、レンズ板５の全域がレンズ部５ａで構成されていてもよい。
【００４０】
また、前記実施例１では、回動規制手段としてのゴム部材９により、レンズ板５が任意の回動位置で回動が規制されるようになっている、少なくとも使用位置で回動が規制されるようになっていればよい。
【００４１】
また、回動規制手段は、摩擦抵抗により回動を規制するゴム部材９に限定されるものではなく、例えば係止部等による係止作用により使用位置において回動を規制するものでもよい。
【００４２】
また、前記実施例１では、左右２つの回動体１０、１０において、強度がそれぞれ異なる近視用のレンズ部５ａが適用されているが、例えば近視用、遠視用あるいは乱視用等のレンズ部を適用してもよい。更に、前記実施例１では、左右２つに回動体１０が設けられているが、例えば、回動体を左右に３つ以上設け、強度や見え方の矯正方法が異なるレンズ部を回動体のレンズ部にそれぞれ異ならせて適用してもよい。
【００４３】
また、前記実施例１では、レンズ板５は衝立６の前後側の使用位置Ｍ、Ｍ’それぞれにおいて回動が規制されるようになっているが、例えば、支持部材を上面２ａの左右方向における略中央位置に前後方向に沿って設け、左右側の使用位置それぞれにおいて回動が規制されるようにしてもよい。
【００４４】
また、前記実施例２では、レンズ板１５ａを内ケース１８（基部１４）に対して引き出し自在に収納することで基部１４に対して伸縮するようになっているが、例えば、レンズ板１５ａを内ケースに対して折り畳み自在とすることで基部１４に対して伸縮させるものであってもよい。
【００４５】
また、前記実施例１では、レンズ部５ａは使用位置Ｍ、Ｍ’において天板２の上面２ａに対して略平行となるが、使用位置Ｍ、Ｍ’において、レンズ部５ａが天板２の上面２ａに対向していれば、例えば天板２の上面２ａに対して、支持部材側から天板２の前端部２ｃまたは後端部２ｄ側に向けて下方に傾斜するようにしてもよい。
【００４６】
また、本考案のレンズ装置は、回動支持手段を例えば前述した机の衝立６に設けることができるようになっていれば、既存の机や衝立６等に装着して使用することができる。あるいは、衝立６等の机の一部に予め一体的に設けられていてもよい。
【図面の簡単な説明】
【００４７】
【図１】本考案が適用された実施例１における机を示す斜視図である。
【図２】（ａ）は、机を示す側面図であり、（ｂ）は、回動軸周辺を示す拡大側断面図である。
【図３】実施例２における机を示す斜視図である。
【図４】変形例１における机を示す斜視図である。
【図５】変形例２における机を示す斜視図である。
【符号の説明】
【００４８】
１                机
２                天板
２ａ              上面
３                回動軸（回動支持手段）
４                回動部材（レンズ部材）
５                レンズ板（レンズ部材）
５ａ              レンズ部
５ｂ              基端部（一端）
８                支持部材（回動支持手段）
９                ゴム部材（回動規制手段）
Ｍ、Ｍ’          使用位置
Ｎ                退避位置
【図１】
0003142179.tif 000003
【図２】
0003142179.tif 000004
【図３】
0003142179.tif 000005
【図４】
0003142179.tif 000006
【図５】
0003142179.tif 000007